(57)【要約】【目的】　狭い検出箇所における物体の有無の検出を可能とする限定反射型の光電スイッチを提供することである。【構成】　プリズムレンズ１０ａ，１０ｂは、第２の凸レンズ１５が斜め前方を向く状態で保持部材２０に位置決めされている。光ファイバ４０ａ，４０ｂの先端がそれぞれプリズムレンズ１０ａ，１０ｂの第１の凸レンズの下方に位置決めされている。プリズムレンズ１０ａ，１０ｂは、第２の凸レンズ１５の光軸が投受光ヘッドの前面から距離Ｌだけ離れた検出位置Ａで互いに交差するように、投受光ヘッドの前面に垂直な方向に対して第１の凸レンズの光軸を中心として角度θだけ内側に傾けられている。【選択図】　　　　図４
2004119387.tif 000002
【特許請求の範囲】
【請求項１】
光を所定距離離れた検出位置に投光しその反射光を受光することにより前記検出位置における物体の有無を検出する光電スイッチであって、
　第１および第２の光ファイバと、
　前記第１の光ファイバから出射される光を反射してほぼ直角に曲げることにより前記検出位置に光を出射する第１の反射面と、
　前記検出位置からの光を反射してほぼ直角に曲げることにより前記第２の光ファイバに光を入射させる第２の反射面と、
　前記第１の反射面から前記検出位置に出射される光の軸と前記検出位置から前記第２の反射面に入射される光の軸とが前記検出位置で交差するように、前記第１の光ファイバ、前記第２の光ファイバ、前記第１の反射面および前記第２の反射面を保持する保持部材とを備えたことを特徴とする光電スイッチ。
【請求項２】
前記保持部材は、前記第１の光ファイバの先端および前記第２の光ファイバの先端を互いに略平行に保持することを特徴とする請求項１記載の光電スイッチ。
【請求項３】
前記保持部材は、前記第１の光ファイバと前記第２の光ファイバとの間に孔を有することを特徴とする請求項２記載の光電スイッチ。
【請求項４】
前記孔は、前記第１および第２の光ファイバの光軸に沿って複数設けられたことを特徴とする請求項３記載の光電スイッチ。
【請求項５】
光を内部に導く入射面、光を外部に出す出射面および前記第１の反射面を有する第１のプリズムと、
　光を内部に導く入射面、光を外部に出す出射面および前記第２の反射面を有する第２のプリズムとをさらに備えたことを特徴とする請求項１〜４のいずれかに記載の光電スイッチ。
【発明の詳細な説明】
【技術分野】
【０００１】
　本発明は、光を検出位置に投光しその反射光を受光する光電スイッチに関する。
【背景技術】
【０００２】
　従来より、光の透過または反射を利用して物体の有無を検出する光電スイッチが用いられている。このような光電スイッチを検出箇所から離れた場所に設置する場合には、通常、検出箇所から光電スイッチまで光ファイバーを用いて光を導いている。その場合、検出箇所が狭い場所であると、光ファイバの先端を折り曲げて使用することがある。しかし、光ファイバを小さい曲げ径で折り曲げると、光の伝達損失が生じるので、曲げ径をあまり小さくすることができない。
【０００３】
　そこで、実開昭６４−２６７０７号公報に図６に示すような光ファイバの検出端構造が提案されている。
【０００４】
　図６において、保持スリーブ６１内に光ファイバ６２および反射体６３が挿入されている。反射体６３には、保持スリーブ６１の軸方向に対してほぼ４５°傾斜した反射面６４が形成されている。また、保持スリーブ６１の側面には窓孔６５が設けられている。
【０００５】
　光ファイバ６２の先端から出た光は反射体６１の反射面６４でほぼ直角に曲げられ、窓孔６５から保持スリーブ６１の外部に出射される。このようにして、光ファイバ６２から出た光の進行方向がほぼ９０°屈曲される。
【０００６】
　しかし、光ファイバ６２から出た光は光軸を中心として先に向かって広がる拡散光となる。そのため、光の一部が反射面６４で反射されず、あるいは反射面６４で反射された光も拡散光となって出射される。その結果、光の伝達損失が大きくなり、受光側で十分な光量が得られない。
【０００７】
　一方、実公昭６２−３５２３７号公報には図７に示すような光伝送装置が提案されている。
【０００８】
　図７において、プラスチック等の光導体を棒状に一体成形してなる変換器７１の一端に、光ファイバ７２の先端が嵌合する凹所７３が設けられ、この凹所７３に凸レンズ７４が形成されている。また、変換器７１の他端には、傾斜した反射面７６を有する凹所７５が設けられている。
【０００９】
　光ファイバ７２の先端から出た光は凸レンズ７４により集光され、反射面７６によりほぼ直角に曲げられる。このようにして、光ファイバ７２の先端から出た拡散光が収束光に修正される。
【００１０】
　また、特開平４−２２５３０６号公報には図８に示すような光軸変換装置が提案されている。
【００１１】
　図８において、円筒形のキャップ８１内にシリンダレンズ８２が収納され、キャップ８１の一端部に光ファイバ８３が嵌入されている。シリンダレンズ８２の上端は軸方向に対して約４５°の傾斜でカットされ、反射面８４が形成されている。また、シリンダレンズ８２の側部には凸レンズ８５が形成されている。キャップ８１には、その凸レンズ８５が嵌合する円穴が形成されている。また、キャップ８１の上端部には蓋部材８６が嵌入されている。
【００１２】
　光ファイバ８３の先端から出た光はシリンダレンズ８２の反射面８４でほぼ直角に曲げられ、凸レンズ８５により集光されて外部に出射される。それにより、光ファイバ８３から出射された拡散光が凸レンズ８５により収束光に修正される。
【００１３】
　なお、実開昭６２−１３１３３６号公報にも、図８に示した光軸変換装置と同様の構造を有する光電スイッチ用アタッチメントが開示されている。
【００１４】
　しかしながら、光ファイバはある大きさの径を有するので、光ファイバの先端から出た光は、点発光とはならず、実際には面発光となる。そのため、光ファイバから出た光の広がりがかなり大きくなる。したがって、図７に示すように光ファイバ７２から出た光を凸レンズ７４により集光しても、あるいは、図８に示すように反射面８４により反射された光を凸レンズ８５により集光しても、拡散光を十分な収束光に絞ることができず、十分な光量も得られないのが現状であった。
【００１５】
　特に、限定反射型の光電スイッチにおいては、ビームスポットが絞れないと検出範囲および応差が大きくなり、良好な特性が得られない。
【特許文献１】実開昭６４−２６７０７号公報
【特許文献２】実公昭６２−３５２３７号公報
【特許文献３】特開平４−２２５３０６号公報
【特許文献４】実開昭６２−１３１３３６号公報
【発明の開示】
【発明が解決しようとする課題】
【００１６】
　ここで、限定反射型の光電スイッチとは、光を投光し、その反射光を受光することにより所定の距離だけ離れた位置の物体の有無を検出するものである。
【００１７】
　狭い検出箇所における物体の有無の検出を可能とする限定反射型の光電スイッチが望まれる。
【００１８】
　そこで、本発明の目的は、狭い検出箇所における物体の有無の検出を可能とする限定反射型の光電スイッチを提供することである。
【課題を解決するための手段】
【００１９】
　第１の発明に係る光電スイッチは、光を所定距離離れた検出位置に投光しその反射光を受光することにより検出位置における物体の有無を検出する光電スイッチであって、第１および第２の光ファイバと、第１の光ファイバから出射される光を反射してほぼ直角に曲げることにより検出位置に光を出射する第１の反射面と、検出位置からの光を反射してほぼ直角に曲げることにより第２の光ファイバに光を入射させる第２の反射面と、第１の反射面から検出位置に出射される光の軸と検出位置から第２の反射面に入射される光の軸とが検出位置で交差するように、第１の光ファイバ、第２の光ファイバ、第１の反射面および第２の反射面を保持する保持部材とを備えたものである。
【００２０】
　光電スイッチにおいては、第１の光ファイバから出射される光が第１の反射面により反射されてほぼ直角に曲げられることにより検出位置に出射される。また、検出位置からの光が第２の反射面により反射されてほぼ直角に曲げられることにより第２の光ファイバに入射される。
【００２１】
　第１の反射面から検出位置に出射される光の軸と検出位置から第２の反射面に入射される光の軸とが検出位置で交差するように、第１の光ファイバ、第２の光ファイバ、第１の反射面および第２の反射面が保持部材により保持されている。それにより、所定距離だけ離れた検出位置に検出対象物が存在するかどうかを検出することができる。
【００２２】
　このように、光をほぼ直角に曲げて投光および受光することにより狭い検出箇所における物体の有無の検出を可能とする限定反射型の光電スイッチが提供される。
【００２３】
　第２の発明に係る光電スイッチは、第１の発明に係る光電スイッチの構成において、保持部材は、第１の光ファイバの先端および第２の光ファイバの先端を互いに略平行に保持することを特徴とする。
【００２４】
　第３の発明に係る光電スイッチは、第２の発明に係る光電スイッチの構成において、保持部材は、第１の光ファイバと第２の光ファイバとの間に孔を有することを特徴とすることを特徴とする。
【００２５】
　第４の発明に係る光電スイッチは、第３の発明に係る光電スイッチの構成において、孔は、第１および第２の光ファイバの光軸に沿って複数設けられたことを特徴とする。
【００２６】
　第５の発明に係る光電スイッチは、第１〜第４のいずれかの発明に係る光電スイッチの構成において、光を内部に導く入射面、光を外部に出す出射面および第１の反射面を有する第１のプリズムと、光を内部に導く入射面、光を外部に出す出射面および第２の反射面を有する第２のプリズムとをさらに備えたことを特徴とする。
【００２７】
　光電スイッチは、光を内部に導く入射面、光を外部に出す出射面および第１の反射面を有する第１のプリズムと、第１のプリズムの入射面側に設けられた第１の凸レンズと、第１のプリズムの出射面側に設けられた第２の凸レンズと、光を内部に導く入射面、光を外部に出す出射面および第２の反射面を有する第２のプリズムと、第２のプリズムの入射面側に設けられた第３の凸レンズと、第２のプリズムの出射面側に設けられた第４の凸レンズとをさらに備え、第１の光ファイバから出射される光が第１の凸レンズを通して第１のプリズム内部に入射し、第１の反射面において反射され、第２の凸レンズを通して検出位置に出射されるように、第１の光ファイバ、第１の凸レンズおよび第２の凸レンズが設けられ、検出位置からの光が第３の凸レンズを通して第２のプリズム内部に入射し、第２の反射面において反射され、第４の凸レンズを通して第２の光ファイバに入射するように、第２の光ファイバ、第３の凸レンズおよび第４の凸レンズが設けられてもよい。
【００２８】
　この光電スイッチにおいては、第１の光ファイバから出射される拡散光が第１のプリズムの入射面の第１の凸レンズにより略平行光に収束され、第１の反射面により反射される。第１の反射面により反射された光は出射面に導かれ、第２の凸レンズによりさらに収束されて出射される。物体からの反射光は、第３の凸レンズを通して第２のプリズム内部に入射し、第２の反射面において反射し、第４の凸レンズを通して第２の光ファイバに入射する。
【００２９】
　このように、第１の光ファイバから出射される拡散光がまず第１の凸レンズにより略平行光に絞られるので、光ファイバから出射される拡散光の全てあるいはほとんどをプリズム内において第１の反射面を経由して第２の凸レンズまで導くことができる。それにより、十分な光量を確保することが可能となる。この場合、第１の凸レンズは、入射光の全てあるいはほとんどが第２の凸レンズまで導かれる程度まで入射光を絞れば十分であるので、曲率半径をそれほど小さくする必要はない。
【００３０】
　また、第１の反射面により反射された光が第２の凸レンズによりさらに絞られるので、所望の結像距離および所望のビームスポット径が得られる。この場合、第２の凸レンズに入射する光は、第１の凸レンズによりある程度まで絞られているので、第２の凸レンズの径を大きくする必要はない。
【００３１】
　したがって、超小型化を妨げることなく所望の収束光を実現し、かつ十分な光量を確保しつつ、光の進行方向を変えることができる。また、ビームスポットを絞ることができるので、良好な特性が得られる。
【発明の効果】
【００３２】
　以上のように、第１〜第５の発明によれば、狭い検出箇所における物体の有無の検出を可能とする限定反射型の光電スイッチが得られる。
【発明を実施するための最良の形態】
【００３３】
　本発明者は、所望の収束光を実現し、かつ十分な光量を確保しつつ、光の進行方向を屈曲させることができる光電スイッチに用いる光方向変換装置を提供するために、まず従来技術における問題点の原因を詳細に分析した。
【００３４】
　図９の（ａ），（ｂ）に示すように、プリズム９３の２つの入出射面のうち光ファイバ９１の側の入出射面に凸レンズ９２を形成した場合を考える。この場合、図９の（ａ）に示すように、凸レンズ９２の曲率半径が大きいと、光ファイバ９１から出射されるビームを十分に絞ることができない。ビームを十分に絞るためには、図９の（ｂ）に示すように、凸レンズ９２の曲率半径を小さくする必要がある。しかし、この場合、光ファイバ９１から出射された拡散光の一部が凸レンズ９２の表面で反射して逃げてしまう。それにより、レンズとして作用する有効な径が実際の凸レンズ９２の径よりも小さくなってしまい、十分な光量の確保が妨げられる。
【００３５】
　図９の（ｃ）に示すように、プリズム９３の２つの入出射面のうち光ファイバ９１と反対側の入出射面に凸レンズ９４を形成した場合を考える。この場合、凸レンズ９４の径が小さいと、プリズム９３の反射光の一部が凸レンズ９４に入射しない。それにより、十分な光量が確保されない。逆に、凸レンズ９４の径を大きくすると、プリズム９３自体の大きさも大きくしなければならず、装置の小型化の妨げとなる。
【００３６】
　そこで、凸レンズ９４の径を小さく保ちつつ光ファイバ９１の先端をプリズム９３の入出射面に近づけると、凸レンズ９４に入射する光の量を多くすることができる。
【００３７】
　しかしながら、図９の（ｄ），（ｅ）に示すように、凸レンズ９５からある一定の距離だけ離れた焦点位置Ｆで結像させる場合、光ファイバ９１の先端を凸レンズ９５から離した方が光学系の焦点位置Ｆにおけるビーム径を小さく絞ることができる。図９の（ｅ）の場合、図９の（ｄ）の場合に比べて、凸レンズ９５の曲率半径を大きくすることができる。光電スイッチの特性を鋭敏にするためには、ビーム径を絞れるという点が重要である。
【００３８】
　上記の理由のため、従来技術においては、所望の収束光および十分な光量の両方を満たすことができなかったと考えられる。そこで、本発明者は、上記の分析結果に基づいて以下に示す光電スイッチに用いる光方向変換装置を創作した。
【００３９】
　図１は本発明の一実施例による光電スイッチに用いられるプリズムレンズの構造を示す図であり、（ａ）は正面図、（ｂ）は側面図、（ｃ）は底面図である。このプリズムレンズが光方向変換装置となる。
【００４０】
　図１のプリズムレンズ１０は樹脂等の光導体からなり、底面部に光を内部に入射しまたは外部に出射する第１の入出射面１１を有し、前面部に光を外部に出射しまたは内部に入射する第２の入出射面１２を有し、上面部に反射面１３を有する。第１の入出射面１１と第２の入出射面１２とは互いに９０°の角度をなし、反射面１３は第１の入出射面１１および第２の入出射面１２に対して４５°の角度をなしている。
【００４１】
　第１の入出射面１１には第１の凸レンズ１４が一体形成され、第２の入出射面１２には第２の凸レンズ１５が一体形成されている。また、プリズムレンズ１０の両側面部にはそれぞれ位置決め用の凸部１６が一体形成されている。プリズムレンズ１０の後面部１７は横断面が円弧状になるように形成されている。
【００４２】
　反射面１３および後面部１７には光の反射率を上げるためにアルミニウム等からなる反射膜が蒸着されている。また、プリズムレンズ１０の表面にはシリコンコーティングが施されている。
【００４３】
　図２は図１のプリズムレンズ１０の縦断面図である。図２に示すように、光ファイバ４０の先端から出た拡散光は、第１の凸レンズ１４を通して第１の入出射面１１に入射する。それにより、拡散光が平行あるいはそれに近い程度まで収束され、反射面１３によりほぼ直角に屈曲される。その反射光は第２の入出射面１２から第２の凸レンズ１５を通して出射される。それにより、出射光が第２の凸レンズ１５によりさらに収束される。
【００４４】
　このように、光ファイバ４０の先端から出た拡散光がまず第１の凸レンズ１４によりある程度まで絞られるので、入射光の全てあるいはほとんどを反射面１３を経由して第２の凸レンズ１５に導くことができる。それにより、十分な光量を確保することができる。この場合、第１の凸レンズ１４は、入射光の全てあるいはほとんどが第２の凸レンズ１４まで導かれる程度まで入射光を絞れば十分であるので、曲率半径をそれほど小さくする必要がない。
【００４５】
　また、反射面１３により反射された光が第２の凸レンズ１５によりさらに絞られるので、所望の結像距離およびビームスポット径が得られる。この場合、第２の凸レンズ１５に入射する光は第１の凸レンズ１４によりある程度まで収束されているので、第２の凸レンズ１５の径を大きくする必要がなく、光ファイバ４０の先端を第１の凸レンズ１４に密着させる必要もない。
【００４６】
　このようにして、所望の収束光を実現しかつ十分な光量を確保しつつ光ファイバ１４から出射した光の進行方向をほぼ直角に屈曲させることができる。
【００４７】
　このプリズムレンズ１０においては、第１の凸レンズ１４、第２の凸レンズ１５および凸部１６が一体形成されているので、部品点数が少なくなり、かつ表面での反射による光の伝達損失が小さい。また、光軸調整は、プリズムレンズ１０と光ファイバ４０との間のみで行えばよい。
【００４８】
　この実施例のプリズムレンズ１０によれば、出射光のビームスポット径を一定の焦点位置において絞ることができるので、特に限定反射型の光電スイッチに適用した場合に鋭敏な特性を得ることができる。
【００４９】
　図３は上記実施例のプリズムレンズを用いた限定反射サイドビュー型の光電スイッチの投受光ヘッドの分解斜視図である。サイドビュー型とは、光をほぼ直角に曲げて投光および受光することにより狭い検出箇所における物体の有無の検出を可能とするものである。
【００５０】
　図３において、合成樹脂等からなる長方形の保持部材２０に、２つのプリズムレンズ１０ａ，１０ｂを固定するための固定枠２１ａ，２２，２１ｂが一体形成されている。固定枠２２を中心としてその両側に固定枠２１ａ，２１ｂが所定間隔を隔てて配置されている。
【００５１】
　固定枠２１ａの内側にはプリズムレンズ１０ａの一方の凸部１６（図１参照）が嵌合する凹部２３ａが形成され、固定枠２２の一方の側部にはプリズムレンズ１０ａの他方の凸部１６が嵌合する凹部２４ａが形成されている。同様に、固定枠２１ｂの内側にはプリズムレンズ１０ｂの一方の凸部１６が嵌合する凹部２３ｂが形成され、固定枠２２の他方の側部にはプリズムレンズ１０ｂの他方の凸部１６が嵌合する凹部２４ｂが形成されている。
【００５２】
　プリズムレンズ１０ａは、両方の凸部１６（図１参照）を固定枠２１ａ，２２の凹部２３ａ，２４ａにそれぞれ嵌合させることにより、第２の凸レンズ１５が斜め前方を向く状態で保持部材２０に位置決めされている。同様に、プリズムレンズ１０ｂは、両方の凸部１６（図１参照）を固定部材２１ｂ，２２の凹部２３ｂ，２４ｂにそれぞれ嵌合させることにより、第２の凸レンズ１５が斜め前方を向く状態で保持部材２０に位置決めされている。
【００５３】
　プリズムレンズ１０ａ，１０ｂの下方における保持部材２０の表面にそれぞれ凹所２５ａ，２５ｂが形成され、凹所２５ａ，２５ｂの下方にそれぞれ円筒形の光ファイバ保持部２６ａ，２６ｂが取り付けられている。光ファイバ保持部２６ａ，２６ｂにはそれぞれ光ファイバ４０ａ，４０ｂの先端が挿入されている。それにより、光ファイバ４０ａ，４０ｂの先端がそれぞれプリズムレンズ１０ａ，１０ｂの第１の凸レンズ１４（図１参照）の下方に位置決めされている。また、保持部材２０にはねじ挿入用の穴２７，２８が形成されている。
【００５４】
　この保持部材２０には、蓋部材３０が超音波溶着等で接着され組立てられる。蓋部材３０も、保持部材２０と同様に、合成樹脂等により形成される。蓋部材３０には、保持部材２０に保持されたプリズムレンズ１０ａ，１０ｂの第２の凸レンズ１５に相当する位置にそれぞれ窓孔３１ａ，３１ｂが形成されている。
【００５５】
　また、蓋部材３０には、保持部材２０のねじ挿入用の穴２７，２８に相当する位置にねじ挿入用の穴３２，３３が形成されている。蓋部材３０を保持部材２０に取り付けると、窓孔３１ａ，３１ｂにそれぞれプリズムレンズ１０ａ，１０ｂの凸レンズ１５が嵌合する。
【００５６】
　図４は図３の投受光ヘッドの横断面図である。図４に示すように、プリズムレンズ１０ａ，１０ｂは、第２の凸レンズ１５の光軸が投受光ヘッドの前面から距離Ｌだけ離れた検出位置Ａで互いに交差するように、投受光ヘッドの前面に垂直な方向に対して第１の凸レンズ１４の光軸を中心として角度θだけ内側に傾けられている。それにより、この投受光ヘッドを用いると、距離Ｌだけ離れた検出位置Ａに検出対象物５０が存在するかどうかを検出することができる。
【００５７】
　各プリズムレンズ１０ａ，１０ｂの両側面部に凸部１６が形成され、かつ後面部１７が円弧状に面取りされているので、設計または試作段階において、投受光ヘッドの厚さＤを薄く保ったまま第２の凸レンズ１５の光軸の向きを微調整することができる。すなわち、第２の凸レンズ１５の光軸の角度θを変えても、投受光ヘッドの厚さＤを変えなくてよい。また、投受光ヘッドの厚さＤが同じ場合でも、第１および第２の凸レンズ１４，１５の大きさを大きくすることができる。したがって、投受光ヘッドの小型化が可能となる。
【００５８】
　図５は保持部材２０にプリズムレンズ１０ａ，１０ｂが取り付けられた状態を示す正面図である。図５において、保持部材２０については外形線のみが描かれている。
【００５９】
　光ファイバ４０ａの先端から出射した光は、プリズムレンズ１０ａの第１の凸レンズ１４に入射し、反射面１３により反射される。その反射光は、図４に示すように、プリズムレンズ１０ａの第２の凸レンズ１５および窓孔３１ａを通って出射される。投受光ヘッドから所定の距離Ｌだけ離れた検出位置Ａに検出対象物５０が存在する場合には、出射光がその検出対象物５０の表面で反射され、反射光が窓孔３１ｂを通ってプリズムレンズ１０ｂの第２の凸レンズ１５に入射する。その入射光は反射面１３により反射され、図５に示すように、プリズムレンズ１０ｂの第１の凸レンズ１４から出射され、光ファイバ４０ｂの先端に導かれる。
【００６０】
　光ファイバ４０ｂの先端から光が出射した場合には、上記と逆の経路をたどって、検出位置Ａからの反射光が光ファイバ４０ａの先端に導かれる。
【００６１】
　このようにして、所定の検出位置Ａに検出対象物５０が存在するかどうかが検出される。
【００６２】
　なお、上記実施例では、プリズムレンズ１０，１０ａ，１０ｂの両側面部に断面矩形の凸部１６が形成されているが、凸部１６の形状はそれに限定されず、断面半円形あるいはその他の形状の凸部１６を形成してもよい。また、プリズムレンズ１０，１０ａ，１０ｂの各側面部に２以上の凸部１６を形成してもよい。さらに、上記実施例では、プリズムレンズ１０，１０ａ，１０ｂの後面部１７を円弧状になるように面取りしているが、プリズムレンズ１０，１０ａ，１０ｂの後面部を多角形に面取りしてもよい。
【００６３】
　上記実施例のプリズムレンズ１０，１０ａ，１０ｂは、光を９０°曲げる必要のある照明装置にも適用することができる。
【産業上の利用可能性】
【００６４】
　本発明に係る光電スイッチは、所定距離だけ離れた検出位置に検出対象物が存在するかどうかを検出するため等に利用することができる。
【図面の簡単な説明】
【００６５】
【図１】本発明の一実施例による光電スイッチに用いられるプリズムレンズの正面図、側面図および底面図である。
【図２】図１のプリズムレンズの縦断面図である。
【図３】図１のプリズムレンズを用いた限定反射サイドビュー型の光電スイッチの投受光ヘッドの分解斜視図である。
【図４】図３の投受光ヘッドの横断面図である。
【図５】図３の投受光ヘッドの保持部材にプリズムレンズを取り付けた状態を示す正面図である。
【図６】従来の光ファイバの検出端構造を示す図である。
【図７】従来の光伝送装置を示す図である。
【図８】従来の光軸変換装置を示す図である。
【図９】従来技術における問題点の原因を説明するための図である。
【符号の説明】
【００６６】
　１０ａ，１０ｂ　プリズムレンズ
　１１　第１の入出射面
　１２　第２の入出射面
　１３　反射面
　１４　第１の凸レンズ
　１５　第２の凸レンズ
　１６　凸部
　１７　後面部
　４０，４０ａ，４０ｂ　光ファイバ
【図１】
2004119387.tif 000003
【図２】
2004119387.tif 000004
【図３】
2004119387.tif 000005
【図４】
2004119387.tif 000006
【図５】
2004119387.tif 000007
【図６】
2004119387.tif 000008
【図７】
2004119387.tif 000009
【図８】
2004119387.tif 000010
【図９】
2004119387.tif 000011